(57)【特許請求の範囲】
【請求項１】
放送番組に関する番組情報を取得する番組情報取得手段と、
前記番組情報取得手段が取得した番組情報を表示する番組情報表示手段と、
を備えた端末装置において、
前記番組情報取得手段により前記番組情報が取得された放送番組を選択可能番組として、前記放送番組を評価した視聴者のコメント、および予め設定された複数の評価指標を用いて番組の質を数値で表した指標データを少なくとも含んだ評価情報を蓄積するサーバから、前記選択可能番組に関する前記評価情報を取得する評価情報取得手段と、
前記選択可能番組のいずれかを指定する番組指定手段と、
前記番組指定手段により指定された放送番組に関する前記評価情報を表示する評価情報表示手段と、
前記選択可能番組の中から推薦番組を抽出する推薦番組抽出手段と、
前記推薦番組抽出手段により抽出された推薦番組を表示する推薦番組表示手段と、
を備え、
前記推薦番組抽出手段は、
推薦番組の傾向を設定する傾向設定手段と、
前記傾向設定手段での設定結果に応じて設定される前記評価指標の重みを用いて前記指標データを重み付け加算した推薦指標値を、前記選択可能番組のそれぞれについて算出する推薦指標値算出手段と、
を備え、該推薦指標値算出手段での算出結果に従って前記推薦番組を抽出することを特徴とする端末装置。
【請求項２】
前記番組指定手段により指定された放送番組の評価を表すユーザ入力情報を入力するユーザ評価入力手段と、
前記ユーザ評価入力手段により入力されたユーザ入力情報を前記サーバに送信するユーザ評価送信手段と、
を備えることを特徴とする請求項１に記載の端末装置。
【請求項３】
当該装置のユーザの番組視聴傾向を設定する視聴傾向設定手段を備え、
前記評価情報取得手段は、前記視聴傾向設定手段によって設定された視聴傾向を前記サーバに送信することにより、前記ユーザと同様の視聴傾向を有する視聴者のコメントを含んだ評価情報の取得を前記サーバに要求することを特徴とする請求項１または請求項２に記載の端末装置。
【請求項４】
コンピュータを、請求項１乃至請求項３のいずれか１項に記載の端末装置を構成する各手段として機能させるためのプログラム。
【発明の詳細な説明】
【技術分野】
【０００１】
本発明は、放送番組に関する番組情報を取得して表示する端末装置およびプログラムに関する。
【背景技術】
【０００２】
デジタル放送において、番組の詳細な内容の確認、視聴する番組や録画予約する番組の選択等に使用される電子番組表（ＥＰＧ）が実用化されている。また、このＥＰＧの表示に用いるデータ（ＥＰＧデータ）や、ユーザの過去の視聴履歴，ＥＰＧ操作履歴に関するデータを利用し、ユーザの嗜好に合った番組や、視聴率や録画予約率の高い番組を、ＥＰＧ上で強調表示したり、ランキング形式で提示したりすることで番組を推薦する情報提供システムが知られている（例えば、特許文献１，２参照）。
【先行技術文献】
【特許文献】
【０００３】
【特許文献１】特開２００５−３３６００号
【特許文献２】特開２００６−５０３２２号
【発明の概要】
【発明が解決しようとする課題】
【０００４】
しかし、ＥＰＧデータから得られる番組の詳細情報は、あくまでも番組を提供する側からの情報でしかないため、その推薦された番組が本当に自分の嗜好に合ったものであるか否かを確認する際に十分な情報が提供されているとは言えないという問題があった。
【０００５】
本発明は、上記問題点を解決するために、番組選択に有用な情報を容易に取得できる端末装置およびプログラムを提供することを目的とする。
【課題を解決するための手段】
【０００６】
上記目的を達成するためになされた本発明の端末装置では、番組情報取得手段が、放送番組に関する番組情報を取得し、番組情報表示手段が、その取得した番組情報を表示する。
【０００７】
なお、番組情報は、いわゆる電子番組表（ＥＰＧ）データであり、放送信号から抽出することで取得してもよいし、インターネット等の通信網経由で、ＥＰＧデータを提供するサーバから取得してもよい。以下では、番組情報取得手段により番組情報が取得された放送番組を選択可能番組というものとする。
【０００８】
また、本発明の端末装置では、評価情報取得手段が、放送番組を評価した視聴者のコメントを少なくとも含んだ評価情報を蓄積するサーバから、選択可能番組に関する評価情報を取得する。なお、サーバとして、例えば、特定の番組についての情報提供や情報交換を行うためにインターネット上に設けられたコミュニティサイトに投稿、登録された情報を提供するように構成されたものを用いることができる。
【０００９】
そして、番組指定手段により、選択可能番組のいずれかが指定されると、評価情報表示手段が、その指定された放送番組についての評価情報を表示する。
このように構成された本発明の端末装置によれば、番組情報を利用して指定した放送番組について、番組を提供する側からの情報だけでなく、視聴者のコメントを含んだ評価情報、即ち、番組選択等に有用な口コミ情報を簡単に確認することができる。
【００１０】
なお、視聴者のコメントとして、未放送の番組については、その番組がシリーズものであれば、そのシリーズについての評価や、前回の放送についての評価等であってもよい。また、単発の番組や新番組であれば、番組の原作や出演者に関する評価等であってもよい。
【００１１】
また、評価情報取得手段は、評価情報の取得を、番組情報取得手段が番組情報を取得する毎、または番組情報表示手段が番組情報の表示を行う毎に行ってもよいし、番組指定手段によって番組が指定する毎に行ってもよいし、予め設定された期間毎に定期的に行ってもよい。
【００１２】
ところで、本発明の端末装置は、選択可能番組の中から推薦番組を抽出する推薦番組抽出手段と、推薦番組抽出手段により抽出された推薦番組を表示する推薦番組表示手段とを備えていてもよい。
【００１３】
この場合、当該装置のユーザは、推薦番組についての評価情報を確認することによって、番組選択に必要な情報を効率よく確認することができる。
また、評価情報には、視聴者のコメントだけでなく、予め設定された複数の評価指標を用いて番組の質を数値で表した指標データが含まれていてもよい。なお、評価指標として、具体的には、番組を見ることで生じる感情（喜怒哀楽）や感想（ためになる／子供に見せたくない等）を言語化したものを用いることができる。
【００１４】
この場合、推薦番組抽出手段は、推薦番組の傾向を設定する傾向設定手段と、傾向設定手段での設定結果に応じて設定される評価指標の重みを用いて、指標データを重み付け加算した推薦指標値を、選択可能番組のそれぞれについて算出する推薦指標値算出手段とを備え、この推薦指標値算出手段での算出結果に従って推薦番組を抽出するように構成されていてもよい。
【００１５】
なお、推薦番組の傾向としては、例えば、評価指標の一つ（楽しい番組、ためになる番組）やユーザの視聴傾向を用いることができる。
そして、例えば、推薦番組の傾向として評価指標の一つを用いる場合、その評価指標の重みを１、それ以外の評価指標の重みを０に設定することが考えられる。
【００１６】
また、推薦番組の傾向として、ユーザの視聴傾向を用いる場合、何等かの方法でユーザの視聴傾向を予め学習または設定しておき、その学習またまたは設定した視聴傾向から各評価指標の重みを導出すればよい。更に、視聴傾向の学習には、例えば、ユーザに簡単なアンケートを回答させた結果を用いてもよいし、当該装置に対するユーザの操作履歴を分析した結果を用いる等してもよい。
【００１７】
更に、本発明の端末装置は、番組指定手段により指定された放送番組の評価を表すユーザ入力情報を入力するユーザ評価入力手段と、ユーザ評価入力手段により入力されたユーザ入力情報をサーバに送信するユーザ評価送信手段とを備えていてもよい。
【００１８】
この場合、当該装置のユーザに、番組を評価させることができ、そのユーザ入力情報は、サーバにて評価情報を生成する際に利用することができる。
また更に、本発明の端末装置は、当該装置のユーザの番組視聴傾向を設定する視聴傾向設定手段を備え、評価情報取得手段は、視聴傾向設定手段によって設定された視聴傾向をサーバに送信することにより、当該装置のユーザと同様の視聴傾向を有する視聴者のコメントを含んだ評価情報の取得をサーバに要求するように構成されていてもよい。
【００１９】
この場合、同様の視聴傾向を有する視聴者のコメントだけが表示されることになり、視聴者のコメントから、視聴や録画する番組を決定する際に参考とすべき有用な情報を、効率よく確認することができる。
【００２０】
ところで、上述の端末装置を構成する各手段は、ハードウェアによって実現してもよいが、コンピュータをこれら各手段として機能させるプログラムによって実現してもよい。
この場合、プログラムは、コンピュータによる読み取りが可能な記録媒体に記録しておき、必要に応じてコンピュータシステムにロードしたものや、通信ネットワークを介してコンピュータシステムにダウンロードしたものを、起動することにより用いることができる。この他、前記プログラムを記録したＲＯＭやバックアップＲＡＭを、コンピュータシステムに予め組み込んでおいてもよい。
【図面の簡単な説明】
【００２１】
【図１】情報提供システムの概略構成を示すブロック図。
【図２】端末装置にて実行されるＥＰＧ処理の内容を示すフローチャート。
【図３】ＥＰＧ処理中で実行される推薦番組抽出処理の詳細を示すフローチャート。
【図４】ＥＰＧの表示例を示す説明図。
【図５】指定番組の詳細情報の表示例を示す説明図。
【図６】ユーザ評価の入力画面の表示例を示す説明図。
【発明を実施するための形態】
【００２２】
以下に本発明の実施形態を図面と共に説明する。
［全体構成］
図１（ａ）は、本発明が適用された情報提供システム１の概略構成を示すブロック図である。
【００２３】
情報提供システム１は、テレビ番組に関する各種情報を提供するサーバ１０と、インターネット網等のネットワーク５を介してサーバ１０との通信が可能な複数の端末装置（「クライアント」ともいう）２０とを備えている。
【００２４】
なお、端末装置２０は、デジタル放送を受信する機能、およびネットワーク５を介した通信機能を少なくとも備える装置であり、具体的には、テレビ受像器、レコーダ、パーソナルコンピュータ（ＰＣ）、車載用ナビゲーション装置、携帯電話機等として構成される。
【００２５】
［サーバ］
サーバ１０は、ネットワーク５を介した端末装置２０との通信を所定のプロトコルに従って実行する通信部１３と、端末装置２０に提供するための各種情報を記憶するデータベース１２と、通信部１３やデータベース１２を利用した各種処理を実行する制御部１１とを備えている。
【００２６】
データベース１２は、ハードディスクドライブやフラッシュメモリ等の不揮発性メモリにより構成され、デジタル放送によって提供される番組（放送番組）毎に、その放送番組に対する視聴者の評価に関する情報（以下「評価情報」という）が少なくとも記憶されている。
【００２７】
なお、評価情報は、特定の番組に関する様々な情報を、視聴者に提供したり、視聴者同士が交換したりするために、ネットワーク上に設けられたコミュニティサイトを利用し、このコミュニティサイトで視聴者から投稿された情報に基づいて作成される。
【００２８】
そして、評価情報は、視聴者からの投稿情報を集計した結果に基づいて生成され、ここでは、特に、評価者（視聴者）の番組視聴傾向によって分類された視聴傾向グループ別に集計したものをグループ別評価情報、視聴傾向グループによらず全体を一括して集計したものを全体評価情報と称する。
【００２９】
また、評価情報は、具体的には、番組に関する視聴者のコメントと、番組の質を示すために予め用意された評価指標を用いて、評価指標毎に視聴者が数値で評価（本実施形態では５段階評価）した指標データとが少なくとも含まれている。
【００３０】
このうち、視聴者のコメントとして、未放送の番組については番組を視聴した評価（感想）は存在しない。このため、未放送の番組については、例えば、その番組がシリーズものであれば、そのシリーズについての評価や、前回の放送についての評価等が考えられる。また、単発の番組や新番組であれば、番組の原作や出演者に関する評価等が考えられる。
【００３１】
また、指標データに用いる評価指標として、具体的には、その番組を視聴することによって喜びを感じる度合いを表す「喜」、怒りを感じる度合いを表す「怒」、悲しみを感じる度合いを表す「哀」、楽しさを感じる度合いを表す「楽」、学習になると感じる度合いを表す「学」、品が良い／悪いと感じる度合いを表す「品」、子供に見せたい／見せたくないと感じる度合いを表す「子」、気分を害するなど悪影響を及ぼす悪い内容だと感じる度合いを表す「悪」を用いている（図６（ａ）参照）。
【００３２】
但し、評価指標はこれらに限るものではなく、例えば、疑問が残る度合いを表す「疑」、熱中することができる度合いを表す「熱」、温かさを感じる度合いを表す「温」、爽快の度合いを表す「爽」、かっこよさの度合いを表す「ＣＯＯＬ！！」等を用いてもよい。また、評価する対象の範囲は、番組単位に限るものではなく、番組内の各コーナーや、前半，後半、ＣＭ、ニュースの項目ごと等、区切れる範囲で区切ることによって、より詳細に評価をすることができるようにしてもよい。
【００３３】
制御部１１は、ＣＰＵ，ＲＯＭ，ＲＡＭ等を備えた周知のマイクロコンピュータとして構成されており、ＲＯＭに格納されたプログラム、ＲＡＭにロードされたプログラムやパラメータに基づいて各種処理を実行する。
【００３４】
制御部１１が実行する処理には、通信部１３を介してネットワーク５上の端末装置２０から取得する情報に基づいて、データベース１２に格納する情報（ここでは評価情報）を生成する情報生成処理や、端末装置２０からの要求に従って、データベース１２に格納された情報（ここでは評価情報やＥＰＧデータ）を端末装置２０に提供する情報提供処理が少なくとも含まれている。
【００３５】
このうち、情報生成処理では、端末装置２０から送信されてくるユーザ入力情報（後述する）を定期的に集計することによって評価情報を生成，更新する。
ここで、ユーザ入力情報には、ユーザ入力情報を送信した評価者（視聴者）によるコメントと、上述の評価指標を用いて評価者が番組を５段階評価したデータとからなる。また、ユーザ入力情報には、評価者の視聴傾向を示す視聴傾向情報が付加されている場合があるものとする。
【００３６】
なお、視聴傾向情報は、どの評価指標をどの程度重用視するかを表すものであり、全体の合計が１となるように配分された数値（重み）によって表現されている。但し、視聴傾向情報の表現はこれに限るものではなく、例えば、予め規定された分類（泣ける、ためになる、爽快、不謹慎など）のいずれに該当するかで表現されていてもよい。
【００３７】
そして、情報生成処理では、視聴傾向情報を用いて評価者を複数の視聴傾向グループに分類し、その視聴傾向グループ毎に、視聴傾向グループに属する評価者のユーザ入力情報を対象として集計した評価情報であるグループ評価情報を生成すると共に、視聴傾向グループによらず全ての評価者のユーザ入力情報を対象として集計した評価情報である全体評価情報を生成し、これらのグループ評価情報および全体評価情報をデータベースに格納する。なお、視聴者のコメントに対する集計処理では、例えば、同様なコメントが多数ある場合に代表的なコメントだけを残して「同様のコメントＸＸ件」との情報を付加する等してもよい。
【００３８】
一方、情報提供処理は、サーバ本来の機能を実現するための周知の処理である。但し、評価情報を提供する場合、端末装置２０からの要求に要求者（視聴者）の視聴傾向情報が添付されていれば、その視聴傾向情報から特定される視聴傾向グループのグループ評価情報を提供し、端末装置２０からの要求に視聴傾向情報が添付されていなければ、全体評価情報を提供するように構成されている。
【００３９】
［端末装置］
端末装置２０は、ネットワーク５を介したサーバ１０との通信を所定のプロトコルに従って実行する通信部２２と、デジタル放送を受信する放送受信部２６と、端末装置２０に対する各種指令を入力するための操作部２４と、放送受信部２６が受信した映像の他、操作部２４を介して入力された指令に基づく各種表示を行うための表示部２５と、これら各部を制御して各種処理を実行する処理部２１と、処理部２１での処理結果や、通信部２２を介してネットワーク５上のサーバ１０から取得した情報等を記憶する記憶部２３とを備えている。
【００４０】
なお、図１（ａ）に示す端末装置２０の構成は、各種存在する端末装置２０に共通する構成であり、個々の端末装置２０は、図１（ａ）に記載された構成以外に、その端末装置２０が果たすべき本来の機能を実現するための構成を有する。但し、その構成は、発明の主要部ではないため、ここでは図示を省略している。
【００４１】
放送受信部２６は、デジタル放送信号を受信するアンテナや、デジタル放送信号を供給するＣＡＴＶ網等に接続され、操作部２４での操作に従ってデジタル放送信号から所望の番組の信号を抽出する機能や、デジタル放送信号からＥＰＧデータを抽出する機能を有した周知のチューナからなる。
【００４２】
操作部２４は、例えばキーボード，マウス，リモコン等のユーザからの操作を受け付けるユーザインタフェースとして構成されている。また、操作部２４では、ＥＰＧを表示する操作（ＥＰＧ表示操作）、ＥＰＧの表示を終了させる操作（ＥＰＧ終了操作）、ユーザの視聴傾向を示す視聴傾向情報を設定するための操作（視聴傾向入力操作）の他、表示部２５に表示されたＥＰＧ等と連動して、指定された番組の詳細情報を表示させるための操作（詳細情報表示操作）、指定された番組の評価等を入力するための操作（ユーザ評価入力操作）が少なくとも可能であるように構成されている。
【００４３】
記憶部２３は、サーバ１０におけるデータベース１２と同様に、例えば、ハードディスクドライブやフラッシュメモリ等の不揮発性メモリにより構成されている。また、記憶部２３には、図１（ｂ）に示すように、放送受信部２６にて抽出または通信部２２を介してサーバ１０から取得したＥＰＧデータを記憶する領域、通信部２２を介してサーバ１０から取得した評価情報を評価対象である番組と対応付けて記憶する領域、ユーザが入力した視聴傾向情報を記憶する領域が少なくとも確保されている。
【００４４】
なお、視聴傾向情報は、どの評価指標をどの程度重用視するかを表すものであり、全体の合計が１となるように配分された数値（重み）によって表される。
処理部２１は、サーバ１０における制御部１１と同様に、ＣＰＵ，ＲＯＭ，ＲＡＭ等を備えた周知のマイクロコンピュータとして構成されており、ＲＯＭに格納されたプログラム、ＲＡＭにロードされたプログラムやパラメータに基づいて所定の処理を実行する。
【００４５】
具体的には、処理部２１は、操作部２４にてＥＰＧ表示操作が検出されると起動するＥＰＧ処理、操作部２４にて視聴傾向入力操作が検出されると起動する視聴傾向入力処理を少なくとも実行する。
【００４６】
このうち、視聴傾向入力処理では、操作部２４を介して視聴傾向の設定に必要な入力を受け付け、その入力結果に基づいて生成した視聴傾向情報を、記憶部２３に保存する。
具体的には、どの評価指標をどの程度重要視するか（ここでは５段階で表現）をユーザに入力させ、その入力結果を正規化（例えば、合計値が１となるように）したものを視聴傾向情報とする。なお入力結果を正規化せずにそのまま用いてもよい。また、視聴傾向の設定は、上述のように評価指標を利用する場合に限らず、例えば、予め用意された質問をユーザに回答させて、その結果から、各評価指標の重み（視聴傾向情報）を求めてもよい。
【００４７】
［ＥＰＧ処理］
次に、ＥＰＧ処理の詳細を、図２に示すフローチャートに沿って説明する。
本処理は、上述したように、操作部２４によりＥＰＧ表示操作が検出されると起動され、ＥＰＧ終了操作が検出されると終了する。
【００４８】
本処理が起動すると、まず、ＥＰＧによって選択可能な番組（以下「選択可能番組」という）の中から、ユーザに対する推薦番組を抽出する推薦番組抽出処理（後述する）を実行（Ｓ１１０）した後、記憶部２３に格納されているＥＰＧデータに基づいて表示部２５にＥＰＧを表示する（Ｓ１２０）。この時、Ｓ１１０にて抽出された推薦番組については、図４に示すように、番組枠内に★印等を表示する等、推薦番組であることを強調する表示を行う。
【００４９】
なお、図４は、ＥＰＧデータに基づいて表示部２５に表示されるＥＰＧの概略を示す説明図である。また、推薦番組の強調方法は、これに限らず、番組枠の背景色を他の番組枠とは異ならせたり、番組枠を太線や色つき線等を用いて表示させたりする等してもよい。
【００５０】
次に、操作部２４にて詳細情報要求操作が検出されたか否か（Ｓ１３０）、ユーザ評価入力操作が検出されたか否か（Ｓ１４０）、その他の操作が検出されたか否か（Ｓ１５０）を、いずれかの操作が検出されるまで繰り返し判断する。
【００５１】
そして、操作部２４にて詳細情報要求操作が検出された場合（Ｓ１３０：ＹＥＳ）は、その操作によって指定された番組（以下「指定番組」という）についての詳細情報を表示部２５に表示させる処理を実行して（Ｓ１６０）、Ｓ１３０に戻る。ここでの指定番組は、放送済みの番組、放送中の番組、未放送の番組のいずれであってもよい。
【００５２】
ここで、図５には、詳細情報の表示画面の一例を表す。図示されているように、表示画面には、ＥＰＧデータから取得した詳細情報（メタデータ）を表示する領域と、サーバ１０から取得した視聴者のコメント（ユーザコメント）を表示する領域と、同じくサーバ１０から取得した指標データを用いて番組の質を、評価指標毎に５段階で表示する領域とが設けられている。更に、この表示画面には、指定番組の録画予約の設定／解除を行うためのアイコン（但し、指定番組が未放送の番組である場合）、録画予約を解除するためのアイコン、元のＥＰＧ画面（図４参照）に戻るためのアイコンも設けられている。
【００５３】
なお、Ｓ１６０の処理では、記憶部２３に指定番組の評価情報（視聴者コメント，指標データ）が既に格納されている場合は、その評価情報を用いて表示を行う。
また、記憶部２３に指定番組の評価情報が格納されていない場合は、通信部２２を介してサーバ１０に指定番組の評価情報を要求する。この時、上述の視聴傾向入力処理によって視聴傾向情報が設定されている（記憶部２３に格納されている）場合には、この視聴傾向情報を評価情報の要求に付加して送信する。
【００５４】
この評価情報の要求に対してサーバ１０は、指定番組に関する評価情報を要求元の端末装置２０に返送する。但し、評価情報の要求に視聴傾向情報が付加されている場合には、視聴傾向情報から特定される視聴傾向グループのグループ評価情報を返送し、視聴傾向情報が付加されていない場合は、全体評価情報を返送する。
【００５５】
サーバ１０からの応答を受信した要求元の端末装置２０は、取得した評価情報を指定番組と対応付けて記憶部２３に格納すると共に、その格納した情報を表示部２５に表示させる。
【００５６】
次に、操作部２４にてユーザ評価入力操作が検出された場合（Ｓ１４０：ＹＥＳ）は、指定番組に関するユーザ評価の入力を受け付け、その入力結果（ユーザ入力情報）を、通信部２２を介してサーバ１０に送信して（Ｓ１７０）、Ｓ１３０に戻る。
【００５７】
ユーザ入力情報（ユーザ評価）として、具体的には、指定番組に関するコメント（テキストデータ）のほか、番組の質を評価指標毎に５段階評価したもの（数値データ）が用いられ、図６（ａ）に示すような、入力画面を介して入力を受け付ける。
【００５８】
また、端末装置２０は、記憶部２３に視聴傾向情報が格納されている場合は、この視聴傾向情報をユーザ入力情報に付加して送信する。このユーザ入力情報を受信したサーバ１０は、受信した内容に基づいて、データベース１２に記憶されている全体評価情報、グループ評価情報を更新する。
【００５９】
操作部２４にてその他の操作が検出された場合（Ｓ１５０：ＹＥＳ）は、その操作に対応した操作対応処理を実行して（Ｓ１８０）、Ｓ１３０に戻る。なお、その他の操作とは、例えば、指定した番組を表示部２５に表示させる操作や、図４に示すＥＰＧ画面から録画予約や録画内容の確認などを行う操作等のことであり、ここでは、推薦場運組抽出処理にて推薦番組を抽出する際の基準となるお勧め傾向を設定する操作も含む。お勧め傾向には、視聴傾向情報を利用する「ユーザ好み」と、評価指標のいずれか一つを選択する「指定指標」がある。
【００６０】
［推薦番組抽出処理］
ここで、先のＳ１１０にて実行する推薦番組抽出処理の詳細を、図３に示すフローチャートに沿って説明する。
【００６１】
本処理が起動すると、まず、ネットワーク５を介してサーバ１０から選択可能番組に関する指標データを取得して記憶部２３に保存する（Ｓ３１０）。
そして、推薦番組を抽出する基準となるお勧め傾向の設定を確認し（Ｓ３２０）、お勧め傾向の設定が「ユーザ好み」である場合は、記憶部２３に記憶されている視聴傾向情報と、Ｓ３１０にて取得した指標データとを用いて、選択可能番組のそれぞれについて推薦指標値を算出する（Ｓ３３０）。この推薦指標値は、指標データ（８個ある評価指標の各値）と、視聴傾向情報によって設定された各評価指標の重みとを用いて重み付け加算することで算出される。
【００６２】
一方、お勧め傾向の設定が「指定指標」である場合は、指標データのうち、指定指標とされた評価指標の値を、そのまま各選択可能番組の推薦指標値とする（Ｓ３４０）。つまり、この場合の推薦指標値は、指定指標の重みを１、指定指標以外の評価指標の重みをゼロとして、重み付け加算することで算出される結果に相当する。
【００６３】
このようにＳ３３０またはＳ３４０にて各番組の推薦指標値が設定されると、その推薦指標値に従って、お勧め番組を抽出して（Ｓ３５０）本処理を終了する。
なお、推薦番組は、推薦指標値が予め設定された閾値より大きい番組や、推薦指標値が大きいものから順番に選んだ所定個（例えば５個）の番組、あるいは推薦指標値が予め設定された閾値より大きくものの中で上位所定個の番組を抽出することが考えられる。
【００６４】
［発明との対応］
本実施形態において、放送受信部２６が番組情報取得手段、Ｓ１２０が番組情報表示手段および推薦番組表示手段、Ｓ１６０が評価情報取得手段および評価情報表示手段、操作部２４が番組指定手段、Ｓ１１０が推薦番組抽出手段、Ｓ１８０におけるお勧め傾向を設定する操作に対する処理が傾向設定手段、Ｓ３２０〜Ｓ３４０が推薦指標値算出手段、Ｓ１７０がユーザ評価入力手段およびユーザ評価送信手段、視聴傾向入力処理が視聴傾向設定手段に相当する。
【００６５】
［効果]
以上説明したように情報提供システム１では、端末装置２０の操作部２４にて詳細情報要求操作が検出されると、その操作によって指定された番組について、サーバ１０から取得した詳細情報を表示部２５に表示し、その詳細情報には視聴者のコメントや、評価指標を用いて視聴者が番組を評価した結果を表す指標データが含まれている。
【００６６】
従って、情報提供システム１によれば、端末装置１０のユーザは、所望の番組について、番組を提供する側からの情報（ＥＰＧデータから抽出した番組の詳細情報）だけでなく、視聴者のコメントを含んだ視聴者の評価、即ち、番組選択等に有用な口コミ情報も簡単に確認することができる。
【００６７】
また、情報提供システム１では、端末装置２０にてユーザの視聴傾向情報を設定すれば、指定番組の詳細情報を要求した時に、ユーザと同じ視聴傾向を有する視聴傾向グループの評価情報が取得，表示されるため、ユーザにとって有用な情報を効率よく提供することができる。
【００６８】
更に、情報提供システム１では端末装置２０にてＥＰＧを表示した場合に、予め選択された視聴傾向に沿ったお勧め番組が強調表示される。このため、当該端末装置２０のユーザは、番組表の中からユーザの嗜好に合った番組を効率よく見つけることができ、上述した評価情報の表示と組み合わせて使用することによって、番組選択に有用な情報をより効率よく確認することができる。
【００６９】
また、お勧め番組を抽出する際に、ユーザの好みを基準とするか、評価指標の一つを基準とするか設定を切り替えることができるため、ユーザの多様な要求に対応することができる。
【００７０】
また、情報提供システム１では、端末装置２０がユーザによる番組評価（コメント、評価指標）を入力可能に構成され、入力された番組評価を、ユーザの視聴傾向情報と共にサーバ１０に送信するように構成されている。従って、情報提供システム１によれば、端末装置２０のユーザによる番組の評価を、評価情報に反映させることができる。
【００７１】
［他の実施形態］
以上本発明の一実施形態について説明したが、本発明は上記実施形態に限定されるものではなく、本発明の要旨を逸脱しない範囲において様々な態様にて実施可能である。
【００７２】
例えば、上記実施形態では、操作部２４にてＥＰＧ表示操作が検出されると、全ての選択可能番組について、サーバ１０から指標データ（評価情報の一つ）を取得し、操作部２４にて詳細情報要求操作が検出されると、指定番組について、サーバ１０から視聴者のコメント（評価情報の一つ）を取得するようにされているが、例えば、視聴者のコメントは、指標データと共に、ＥＰＧ表示操作が行われる毎に取得したり、予め設定された時間毎に更新したりするように構成してもよい。また、その場合、視聴者のコメントを取得する対象は、番組表全部の情報であってもよいし、推薦番組だけであってもよい。また、推薦番組については、定期的に情報を更新し、その他の番組については、上述した実施形態と同様に、詳細情報要求操作が検出される毎に取得するように構成してもよい。
【００７３】
また、評価情報の生成には、端末装置２０から提供されるユーザ入力情報に限らず、コミュニティサイトに直接書き込まれた情報を利用してもよい。
更に、例えば、図６（ｂ）に示すように、評価指標として、「おもしろさ」「出演者」「期待度」等を用いたり、視聴者のコメントを、評価指標のそれぞれについて入力できるように構成したりしてもよい。
【符号の説明】
【００７４】
１…情報提供システム  ５…ネットワーク  １０…サーバ  １１…制御部  １２…データベース  １３…通信部  ２０…端末装置  ２１…処理部  ２２…通信部  ２３…記憶部  ２４…操作部  ２５…表示部  ２６…放送受信部
【図１】
0005669471.tif 000002
【図２】
0005669471.tif 000003
【図３】
0005669471.tif 000004
【図４】
0005669471.tif 000005
【図５】
0005669471.tif 000006
【図６】
0005669471.tif 000007